(57)【要約】【課題】複数のコース選択ができる食器洗浄乾燥機で，特に電源を投入したときなどに適正な洗浄コースを表示しうるようにすることを目的とする。【解決手段】複数の洗浄コースに対応するプログラムが記憶されたプログラム記憶手段と，実行され得る洗浄コースの候補を表示可能の洗浄コース候補表示部と，前記洗浄コース候補表示部に表示或は呼び出された洗浄コースの実行を指示するための洗浄実行指示手段とを備えてなる食器洗浄乾燥機において，電源を投入したとき最初に前記洗浄コース候補表示部に表示され或は呼び出される洗浄コースが，予め定められた所定のルールに基づいて設定されてなる食器洗浄乾燥機。【選択図】図４
2004283284.tif 000002
【特許請求の範囲】
【請求項１】
複数の洗浄コースに対応するプログラムが記憶されたプログラム記憶手段と，実行され得る洗浄コースの候補を表示可能な洗浄コース候補表示部と，前記洗浄コース候補表示部に表示或は呼び出された洗浄コースの実行を指示するための洗浄実行指示手段とを備えてなる食器洗浄乾燥機において，
電源を投入したとき最初に前記洗浄コース候補表示部に表示され或は呼び出される洗浄コースが，予め定められた所定のルールに基づいて設定されてなることを特徴とする食器洗浄乾燥機。
【請求項２】
前記所定のルールが，直近で連続して２回以上実行した洗浄コースを最初に表示するものである請求項１記載の食器洗浄乾燥機。
【請求項３】
直前に実行された洗浄コースを記憶する直前実行コース記憶手段と，２回以上実行された洗浄コースを記憶する繰り返し実行コース記憶手段と，実行された洗浄コースが前記直前実行コース記憶手段に記憶された洗浄コースと同一であると判断された場合には前記実行された洗浄コースを前記繰り返し実行コース記憶手段に記憶し，実行された洗浄コースが前記直前実行コース記憶手段に記憶された洗浄コースと同一でないと判断された場合には前記実行された洗浄コースを前記直前実行コース記憶手段に記憶する第１の表示候補調整手段とを備えてなる請求項２記載の食器洗浄乾燥機。
【請求項４】
直前に実行された洗浄コースを記憶する直前実行コース記憶手段と，２回以上実行された洗浄コースを記憶する繰り返し実行コース記憶手段と，ユーザが自由に設定できるユーザ設定回数を記憶するユーザ設定回数記憶手段と，連続実行された洗浄コースの連続実行回数をカウントし記憶する連続回数カウンタ手段と，実行された洗浄コースが前記直前実行コース記憶手段に記憶された洗浄コースと同一であると判断された場合には前記実行された洗浄コースに関する連続回数カウンタの値に１を加算すると共に，該連続回数カウンタの値を前記ユーザ設定回数記憶手段に記憶されたユーザ設定回数と比較し，該連続回数カウンタの値が前記ユーザ設定回数を超えた場合には，その実行された洗浄コースを前記繰り返し実行コース記憶手段に記憶し，実行された洗浄コースが前記直前実行コース記憶手段に記憶された洗浄コースと同一でないと判断された場合には前記連続回数カウンタの値をクリアすると共に，前記実行された洗浄コースを前記直前実行コース記憶手段に記憶する第２の表示候補調整手段とを備えてなる請求項２記載の食器洗浄乾燥機。
【請求項５】
前記実行された洗浄コースが現在実行中の洗浄コースである請求項３或は４のいずれかに記載の食器洗浄乾燥機。
【請求項６】
前記実行された洗浄コースが直前に実行を終了した洗浄コースである請求項３或は４のいずれかに記載の食器洗浄乾燥機。
【請求項７】
前記所定のルールが，時間帯に応じて予め設定された洗浄コースを最初に表示し或は呼び出すものである請求項１記載の食器洗浄乾燥機。
【請求項８】
複数の洗浄コースに対応するプログラムが記憶されるプログラム記憶手段と，洗浄開始の指示が入力されると，予め定められたルールに基づいて設定された洗浄コースが実行される洗浄コース自動実行手段とを備えてなる食器洗浄乾燥機。
【請求項９】
前記予め定められたルールが，時間帯に応じて予め設定された洗浄コースを自動実行するものである請求項８記載の食器洗浄乾燥機。
【請求項１０】
前記所定のルールが，直近で連続して２回以上実行した洗浄コースを自動実行するものである請求項８記載の食器洗浄乾燥機。
【請求項１１】
複数の洗浄コースに対応するプログラムが記憶されプログラム記憶手段と，電源が投入されると，予め定められたルールに基づいて設定された洗浄コースが実行される洗浄コース自動実行手段とを備えてなる食器洗浄乾燥機。
【請求項１２】
前記予め定められたルールが，時間帯に応じて予め設定された洗浄コースを自動実行するものである請求項１１記載の食器洗浄乾燥機。
【請求項１３】
前記所定のルールが，直近で連続して２回以上実行した洗浄コースを自動実行するものである請求項１１記載の食器洗浄乾燥機。
【請求項１４】
時間帯に対応する洗浄コースを設定するための時間帯−洗浄コース設定手段を備えてなる請求項７，９或は１２のいずれかに記載の食器洗浄乾燥機。
【請求項１５】
前記時間帯に応じて表示され，呼び出され或は実行される洗浄コースが，同じ時間帯に前回実行された洗浄コースにより決定される請求項７，９或は１２のいずれかに記載の食器洗浄乾燥機。
【請求項１６】
前記時間帯に応じて表示され，呼び出され或は実行される洗浄コースが，時間帯に応じてユーザーが設定した洗浄コースである請求項７，９或は１２のいずれかに記載の食器洗浄乾燥機。
【請求項１７】
表示され，呼び出され或は実行される洗浄コースの設定を無効にする設定手段を更に備えてなる請求項１〜１６のいずれかに記載の食器洗浄乾燥機。
【請求項１８】
前記設定無効手段により設定内容が無効にされた後に電源が投入され，或は洗浄開始が指示された時に，表示され，呼び出され或は実行される洗浄コースが予め定められた初期設定の洗浄コースである請求項１７に記載の食器洗浄乾燥機。
【請求項１９】
前記設定無効手段により設定内容が無効にされた後に電源が投入され，或は洗浄開始が指示された時に，表示され，呼び出され或は実行される洗浄コースをユーザが設定可能である請求項１７に記載の食器洗浄乾燥機。
【発明の詳細な説明】
【０００１】
【発明の属する技術分野】
本発明は，マイクロプロセッサにより複数のコース選択ができる食器洗浄乾燥機の改良に関し，特に電源を投入したときなどに最初に表示されたり，呼び出されたりする洗浄コースをどのようにして決定するかの手法に関するものである。
【０００２】
【従来の技術】
近年の食器洗浄乾燥機は，各家庭での多様化する食生活に応じて，最適な洗浄時間あるいは，使用水量（電力）を選択できる複数の洗浄（乾燥）コースを実行するプログラムを内蔵しており，ユーザーは，その都度食器の汚れ具合を判断し，コースを選択することができるので，極めて利便性の高いものになっている。
図３はこのような利便性の高い食器洗浄乾燥機の操作パネルを示しており，ユーザはこのような操作パネルに設けられた乾燥時間設定キーＫ１，イオン・洗剤併用コース設定キーＫ２，イオンコース設定キーＫ３を操作して各機能を組み合わせることで，図３の下部に記載したような多数の洗浄コースを選択することが出来るようになっている。
【０００３】
また，このような従来の食器洗浄乾燥機では，所望の洗浄コースをより早く，且つ適切なものに設定できるようにするため，通常一度使った洗浄コースは繰り返して使用することが多いという経験則に則り，前回使用した洗浄（乾燥）コースをマイコンのメモリーに記憶しておき，次回使用時の，例えば電源投入時に自動的に優先して呼び出すようにしたものが知られている。
【０００４】
【発明が解決しようとする課題】
このような前回使用時の洗浄コースを自動的に呼び出すことは，上記経験則に従えば確かに洗浄コースを再度入力する手間を省く点では優れているが，実際に食器洗浄乾燥機を使用する場合，各家庭においては，食事毎に食器の量，汚れの度合いは異なるものであり，直近で使用した洗浄（乾燥）コースをいつもそのまま使用することが最適な設定とはかぎらない。
また，当然，朝昼晩と洗浄（乾燥）コースを使い分けるユーザもあり，そのようなユーザにとって，毎回複数回のキー入力設定を行うのは，煩わしいものであった。
本発明は，前記問題点に鑑みてなされたものであり，その目的は，ユーザが所望する洗浄コースをより的確に早く呼び出したり表示したりすることのできる食器洗浄乾燥機を提供することである。
【０００５】
【課題を解決するための手段】
前記課題を解決するために，本発明は，
複数の洗浄コースに対応するプログラムが記憶されたプログラム記憶手段と，実行され得る洗浄コースの候補を表示可能の洗浄コース候補表示部と，前記洗浄コース候補表示部に表示或は呼び出された洗浄コースの実行を指示するための洗浄実行指示手段とを備えてなる食器洗浄乾燥機において，
電源を投入したとき最初に前記洗浄コース候補表示部に表示され或は呼び出される洗浄コースが，予め定められた所定のルールに基づいて設定されてなる食器洗浄乾燥機として構成されている。
【０００６】
前記所定のルールは，直近で連続して２回以上実行した洗浄コースを最初に表示するものであってもよい。
この場合，直前に実行された洗浄コースを記憶する直前実行コース記憶手段と，２回以上実行された洗浄コースを記憶する繰り返し実行コース記憶手段と，実行された洗浄コースが前記直前実行コース記憶手段に記憶された洗浄コースと同一であると判断された場合には前記実行された洗浄コースを前記繰り返し実行コース記憶手段に記憶し，実行された洗浄コースが前記直前実行コース記憶手段に記憶された洗浄コースと同一でないと判断された場合には前記実行された洗浄コースを前記直前実行コース記憶手段に記憶する第１の表示候補調整手段とを備えて構成することができる。
また別の例として，直前に実行された洗浄コースを記憶する直前実行コース記憶手段と，２回以上実行された洗浄コースを記憶する繰り返し実行コース記憶手段と，ユーザが自由に設定できるユーザ設定回数を記憶するユーザ設定回数記憶手段と，連続実行された洗浄コースの連続実行回数をカウントし記憶する連続回数カウンタ手段と，実行された洗浄コースが前記直前実行コース記憶手段に記憶された洗浄コースと同一であると判断された場合には前記実行された洗浄コースに関する連続回数カウンタの値に１を加算すると共に，該連続回数カウンタの値を前記ユーザ設定回数記憶手段に記憶されたユーザ設定回数と比較し，該連続回数カウンタの値が前記ユーザ設定回数を超えた場合には，その実行された洗浄コースを前記繰り返し実行コース記憶手段に記憶し，実行された洗浄コースが前記直前実行コース記憶手段に記憶された洗浄コースと同一でないと判断された場合には前記連続回数カウンタの値をクリアすると共に，前記実行された洗浄コースを前記直前実行コース記憶手段に記憶する第２の表示候補調整手段とを備えて構成されてもよい。
前記実行された洗浄コースが，現在実行中の洗浄コースであっても構わない。
別の例として，前記実行された洗浄コースが直前に実行を終了した洗浄コースであってもよい。
前記所定のルールとして，時間帯に応じて予め設定された洗浄コースを最初に表示し或は呼び出すものが採用可能である。
【０００７】
複数の洗浄コースに対応するプログラムが記憶されプログラム記憶手段と，洗浄開始の指示が入力されると，予め定められたルールに基づいて設定された洗浄コースが実行される洗浄コース自動実行手段とを備えてなる食器洗浄乾燥機。
前記予め定められたルールが，時間帯に応じて予め設定された洗浄コースを自動実行するものが考えられる。
前記所定のルールとして，直近で連続して２回以上実行した洗浄コースを自動実行するものであってもよい。
【０００８】
また複数の洗浄コースに対応するプログラムが記憶されたプログラム記憶手段と，電源が投入されると，予め定められたルールに基づいて設定された洗浄コースが実行される洗浄コース自動実行手段とを備えてなる食器洗浄乾燥機が提供される。
この場合，予め定められたルールとして，時間帯に応じて予め設定された洗浄コースを自動実行するものが考えられる。
さらに前記所定のルールが，直近で連続して２回以上実行した洗浄コースを自動実行するものである場合が考えられる。
更に時間帯に対応する洗浄コースを設定するための時間帯−洗浄コース設定手段を備えてなるものが考えられる。
【０００９】
前記時間帯に応じて表示され，呼び出され或は実行される洗浄コースが，同じ時間帯に前回実行された洗浄コースにより決定されるものであってもよい。
前記時間帯に応じて表示され，呼び出され或は実行される洗浄コースとして，時間帯に応じてユーザーが設定した洗浄コースが考えられる。
表示され，呼び出され或は実行される洗浄コースの設定を無効にする設定手段を更に備えていてもよい。
この場合，前記設定無効手段により設定内容が無効にされた後に電源が投入され，或は洗浄開始が指示された時に，表示され，呼び出され或は実行される洗浄コースが予め定められた初期設定の洗浄コースであってもよい。
更にこの場合，前記設定無効手段により設定内容が無効にされた後に電源が投入され，或は洗浄開始が指示された時に，表示され，呼び出され或は実行される洗浄コースをユーザが設定可能である場合がありうる。
さらに予め定められた初期設定の洗浄コース或はユーザが設定した洗浄コースが不揮発性メモリーに記憶されている場合も考えられる。
【００１０】
【発明の実施の形態】
続いて添付した図面を参照して，本発明を具体化した実施形態について説明し，本発明の理解に供する。ここに図１は，本発明の位置実施形態にかかる食器洗浄乾燥機の制御ブロック図，図２は他の実施形態にかかる食器洗浄乾燥機の制御ブロック図，図３は，従来公知の食器洗浄乾燥機における操作部の平面図，図４は，本発明の上記位置実施形態にかかる食器洗浄乾燥機の一操作手順を示すフローチャート，図５は，図４の実施形態の変形例を示すフローチャート，図６は，ユーザが決めた設定回数に応じて呼び出す洗浄コースを変えることのできる手順を示すフローチャート，図７は，時刻に応じて呼び出す洗浄コースを変えるための手順を示すフローチャート，図８は，時刻に応じて呼び出される洗浄コースが変わる制御手順を示すフローチャート，図９は，電源を投入するだけで時刻に応じた洗浄コースを呼び出すことのできる制御手順を示すフローチャート，図１０は，ユーザが時刻とこれに対応する洗浄コースを設定するための手順を示すフローチャート，図１１は，無効設定のフラグ処理手順を示すフローチャート，図１２は，無効フラグの状態に応じて洗浄コースの設定を変える手順を示すフローチャート，図１３は，洗浄コースの設定を無効にしてユーザが自由に設定を変える手順を示すフローチャート，図１４は，次回電源投入時に選択される洗浄コースを優先読み出しコースに設定する処理を示すフローチャートである。
【００１１】
本発明の一実施形態にかかる食器洗浄乾燥機の制御ブロック図である図１に示すように，この実施形態にかかる食器洗浄乾燥機における制御部は後記する種々の洗浄コースに関する制御手順，即ちプログラムを記憶し実行するマイクロプロセッサ１−１（プログラム記憶手段の一例）と，上記マイクロプロセッサ１−１に電源を供給する電源回路１−２と，上記マイクロプロセッサ１−１に接続され，設定する洗浄コースの内容などを表示する表示装置１−３（洗浄コース候補表示部の一例）と，洗浄時間その他の各種データなどを入力するためのキー等の入力手段１−４と，各種ソレノイド，モータなどを駆動する各種リレー１−５，各種センサ１−６を備えている。
【００１２】
次に，本発明の基本的制御手順を示す図４以下の図面を参照して，本発明の基本構成について説明する。なお以下のフローチャートにおいて，Ｓ１−１，Ｓ１−２…は，制御手順（ステップ）の番号を示す。
以下の実施形態では，電源入／切ボタンＫ５の操作により電源が投入されたり，或は洗浄開始のためのスタートボタンＫ４（洗浄実行指示手段の一例）が押されることによって洗浄処理が開始されると，予め記憶されている所定のルールに従った洗浄コース名，或はその内容が表示装置１−３に表示されたり，或は単に呼び出されたりする。
【００１３】
その一例として，所定のルールが直近の洗浄処理の実施により２回以上連続して実行された洗浄コースが表示或は呼び出されるというルールに従った実施形態について説明する。前提として，マイクロプロセッサ１−１内の記憶部に前回の洗浄乾燥処理で使用した洗浄コースを記憶するＭ１の記憶領域と，直近に２回以上連続して実行された洗浄コースを記憶するＭ２の記憶領域が設けられているものとする。上記各種データを記憶しておく記憶領域は電源を落としても記憶内容が問題なく保存されるメモリが採用される。
【００１４】
図４に示すように，図３に記載された電源ボタンＫ５が押されることによって電源が投入されると，電源回路１−２からの信号がマイクロプロセッサ１−１に入力される，これを受けたマイクロプロセッサ１−１は，まず前記記憶部Ｍ２に記憶されている洗浄コースを呼び出す（Ｓ４−１）。この記憶部Ｍ２には，前記のように直近に２度以上連続して使用された洗浄コースが記憶されており，これが呼び出される。呼び出された洗浄コースの内容は表示装置１−３に表示されるのが一般であるが，必ずしも表示されなくても，その内容が別の一時的記憶装置であるＲＡＭ等に呼び出されてもよい。
【００１５】
上記Ｍ２の記憶内容の呼び出しと共に，マイクロプロセッサ１−１は，表示装置１−３に「洗浄コース選択待ち状態」を表示し，ユーザに洗浄コースの選択を促す（Ｓ４−２）。ここでユーザは前記乾燥時間キーＫ１，イオン・洗剤併用コースキーＫ２或は，イオンコースキーＫ３を押すことで前記した多数の洗浄コースのいずれかを選択入力することができる。
但しユーザは，ここで必ずしも新たな洗浄コースを入力しなくてもよく，例えば表示部に表示された記憶部Ｍ２に記憶されていた，直近に２度以上実行された洗浄コースをそのまま用いることもできる。実際にはこのように直近に２度以上連続して用いられた洗浄コースを選択する確立は非常に高いから，電源投入後ユーザは何も新しい洗浄コースを入力しなくてもよいケースが多い。
【００１６】
次にマイクロプロセッサ２−１は，ユーザによるスタートキーＫ４の入力待ちとなる（Ｓ４−３）。スタートキーＫ４が押されると，表示装置１−３に表示された洗浄コース或は，呼び出された洗浄コースが実行されると共に，実行されたコースとマイクロプロセッサの記憶領域Ｍ１に記憶されている洗浄コースとが比較される（Ｓ４−４）。
上記記憶領域Ｍ１は，前回実行された洗浄コースが記憶されている。上記Ｓ４−４における比較の結果，同じであれば今回実行された洗浄コースが連続して２回実行されたと認識されるので，マイクロプロセッサ２−１は，Ｍ１に記憶されたデータをマイクロプロセッサの記憶領域Ｍ２に記憶する。即ち上書きする。（Ｓ４−５）
【００１７】
また，Ｓ４−４の比較によって，今回実行された洗浄コースが，前回実行された，Ｍ１に記憶されている洗浄コースと異なっていると判断されれば，今回実行された洗浄コースは新しい洗浄コースであると認識されるので，その洗浄コースをマイクロプロセッサ１−１の記憶領域Ｍ１に記憶する（上書きする）（Ｓ４−６）。
やがて洗浄が終了するとパワーＯＦＦとなる（Ｓ４−７）。
再度，電源投入が行なわれると，再度Ｓ４−１のようにマイクロプロセッサの記憶領域Ｍ２に記憶されている洗浄（乾燥）時手順が繰り返され，コースが呼び出される。呼び出された内容は表示装置１−３に表示されてもよい。
【００１８】
上記実施形態では，前記所定のルールが食器洗浄乾燥機に電源を投入すると，常に直近に２回以上連続使用された洗浄コースが呼び出されるというルールであり，上の実施形態ではそのように実行される。通常は呼び出された洗浄コースの内容が表示装置１−３に表示される。簡易な処理を好み，表示をみるのも面倒というユーザのためには，自動的に呼び出された洗浄コース内容の表示自身も省略することができる。
なお，連続して２回以上使用された洗浄コースがない場合には，例えば「２回以上連続しようされた洗浄コースがありません」というコメントを記憶領域Ｍ２に格納しておき，これを表示するようにしてもよい。
上の実施形態では，実行される洗浄コースが前回実行した洗浄コースと同じかどうかの判断を，スタートキーＫ４を押したとき，即ち洗浄コースの実行中に行なうものであるが，図５に示した実施形態では，洗浄・乾燥処理の終了時に判断することを除き，図４に示した実施形態と同様であるので，詳しい説明は省略する。
【００１９】
上記図４及び図５に示した実施形態では，連続して２回実行された洗浄コースが電源投入時に呼び出される例であったが，何回以上連続使用されれば，電源投入時に呼び出すかは，ユーザの生活感覚で基づいてユーザが自由に決めることが出来るようにすることが望ましい。
図６は，このようなケースに対応することの出来る操作手順を示すものである。何回以上同じ洗浄コースが連続実行されたときに，電源投入時にその洗浄コースが呼び出されるかについての連続実行回数は図示しないが，別途の手順により，予め設定されているものとする。このような処理は単にユーザに数字を入力させ，入力された数値を記憶するだけの処理であるので簡単であり，ここではその詳細は省略する。また記憶領域Ｍ２には，上記のようにユーザにより自由に設定された回数だけ連続洗浄処理が行なわれた洗浄コース名が記憶される。また記憶領域Ｍ１は，上の実施形態と同様，前回洗浄処理時の洗浄コース名が記憶される記憶領域である。
更に，マイクロプロセッサ１−１には，連続的に同じ洗浄コースが実行された時の回数が記憶される連続回数カウンタを構成する記憶領域が別に確保されている。
【００２０】
図６に示すように，処理が開始されると，マイクロプロセッサ１−１は，現在設定されているコースとマイクロプロセッサの記憶領域Ｍ１とを比較し（Ｓ６−１），同じであれば連続回数カウンタを＋１し（Ｓ６−２），異なっていれば新しい洗浄コースが採用されたと判断できるので，現在の連続回数カウンタをクリアすると同時に現在のコースをマイクロプロセッサの記憶領域Ｍ１に記憶する（Ｓ６−３）。
そして，前記したユーザーにより予め設定された設定回数と比較し（Ｓ６−４），連続回数カウンタが大きければ，マイクロプロセッサ１−１の記憶領域Ｍ１の内容をＭ２に記憶する。即ち，前回採用された洗浄コースが，新たな優先的に呼び出される洗浄コースに設定される。
これにより，次回の電源投入時に，マイクロプロセッサ１−１の記憶領域Ｍ２に記憶されている新たに優先的に呼び出しされるコースに指定された洗浄（乾燥）コースが呼び出される。
【００２１】
前記ユーザ設定回数の入力については，専用のキーを設けてそのキーが押された場合にユーザが設定か数を入力できるようにするか，あるいは既存のキーの組み合わせでも入力できるようにすることができる。
また，入力した回数の確認についても専用の表示手段を設けるか，あるいは既存の表示（点滅等）の組み合わせ，あるいは報知音の回数等で実現できる。
【００２２】
これまでの実施形態では前記所定のルールが，連続実行された洗浄コースにおけるその連続実行の回数が設定された回数を上回った場合にその洗浄コースを次回から優先的に表示或は読み出そうとするものであるが，次の実施形態では，所定のルールが，洗浄（乾燥）処理が行なわれる時間帯に応じて読み出す洗浄コースを変化させることである。
【００２３】
図７に示すように，電源投入後，マイクロプロセッサ１−１は，現在時刻が８：００〜１２：００であれば（Ｓ７−１），朝食の軽い汚れを短時間で洗い落とすイオン速洗＋乾燥２０分コースを設定し（Ｓ７−２），また，現在時刻が１２：０１〜１８：００であれば（Ｓ７−３），昼食後の洗浄（乾燥）コースとして，イオン標準＋乾燥２０分コースを設定する（Ｓ７−４）。
また，現在時刻が１８：０１〜２１：００であれば（Ｓ７−５），夕食後の油汚れにも対応したイオン・洗剤併用念入り＋乾燥６０分コースを設定する（Ｓ７−６）。
更に，現在時刻が２１：０１〜７：５９であれば深夜運転に対応した静音コースとしてのイオン・洗剤併用ナイト＋乾燥２０分コースが設定される（Ｓ７−７）。
この例では，ユーザの介入する場面がなく，電源が投入されると自動的にその時の時間帯に応じた洗浄コースが呼び出される例である。機械任せでよいというユーザには，このような形態が望ましい。
【００２４】
一方，図８に示した手順は，ユーザが現在の時間帯に実行している洗浄コースを，同じ時間帯には繰り返し実行したいという場合に，その時間帯においてその洗浄コースを登録する手順を示すものである。
即ち，コース設定状態からスタートキーが押されると（Ｓ８−１），現在時刻が８：００〜１２：００であれば（Ｓ８−２），実行中のコースをマイクロプロセッサの記憶領域ＭＭ１に記憶する（Ｓ８−３）。また，現在時刻が１２：０１〜１８：００であれば（Ｓ８−４），実行中のコースをマイクロプロセッサの記憶領域ＭＭ２に記憶する（Ｓ８−５）。また，現在時刻が１８：０１〜２１：００であれば（Ｓ８−６），実行中のコースをマイクロプロセッサの記憶領域ＭＭ３に記憶する（Ｓ８−７）。そして，現在時刻が２１：０１〜７：５９であれば，実行中のコースをマイクロプロセッサの記憶領域ＭＭ４に記憶する（Ｓ８−８）。
これによって，ユーザが現在実行中の洗浄コースを同じ時間帯に再現するというルールをユーザ自身が設定することができるようになる。
このようにしてユーザによる「時間帯とそれに対応する洗浄コース」の設定登録を用いて，電源投入時に呼び出されるコースが決定される手順が図９に示されている。
電源投入後，マイクロプロセッサ１−１は，現在時刻が８：００〜１２：００であれば（Ｓ９−１），マイクロプロセッサの記憶領域ＭＭ１に記憶されたコースを呼び出す（Ｓ９−２）。また，現在時刻が１２：０１〜１８：００であれば（Ｓ９−３），マイクロプロセッサの記憶領域ＭＭ２に記憶されたコースを呼び出し設定する（Ｓ９−４）。また，現在時刻が１８：０１〜２１：００であれば（Ｓ９−５），マイクロプロセッサの記憶領域ＭＭ３に記憶されたコースを設定する（Ｓ９−６）。
更に，現在時刻が２１：０１〜７：５９であればマイクロプロセッサの記憶領域ＭＭ４に記憶されたコースを呼び出して設定する（Ｓ７）。
上の例（図８）では，洗浄コースの実行中に，その洗浄コースをその時の時間帯の優先呼び出しコースとして設定するようにしているが，適当な待機中などに，ユーザが時間帯とその時間帯に優先呼び出しコースとして設定したいコースを設定できるようにして，ユーザの便宜性を高めることも可能である。
【００２５】
図１０は，このような場合に対応しており，マイクロプロセッサ１−１は，待機中にユーザによりコース記憶設定キーが入力されると（Ｓ１０−１），次にユーザがコース選択キーＫ１〜Ｋ３によって選択した（Ｓ１０−２）コースと，時間帯選択キーにより選択した（Ｓ１０−３）時間帯を，再度コース記憶設定キーが押される（Ｓ１０−４）ことを契機として，記憶する。その時選択された時間帯が８：００〜１２：００であれば（Ｓ１０−５），マイクロプロセッサの記憶領域ＭＭ１に，選択された洗浄（乾燥）コースを記憶する（Ｓ１０−６）。また，時間帯が１２：０１〜１８：００であれば（Ｓ１０−７），マイクロプロセッサの記憶領域ＭＭ２に，選択された洗浄（乾燥）コースを記憶する（Ｓ１０−８）。更に，時間帯が１８：０１〜２１：００であれば（Ｓ１０−９），マイクロプロセッサの記憶領域ＭＭ３に，選択された洗浄（乾燥）コースを記憶する（Ｓ１０−１０）。更にまた，時間帯が２１：０１〜７：５９であれば，マイクロプロセッサの記憶領域ＭＭ４に，選択された洗浄（乾燥）コースを記憶する（Ｓ１０−１１）。
上記，コース記憶設定キーの入力及び，時間帯選択キーの入力については，専用のキーを設けるか，あるいは既存のキーの組み合わせで実現できる。また，入力した情報の確認についても専用の表示手段を設けるか，あるいは既存の表示（点滅等）の組み合わせ，あるいは報知音の回数等で実現できることは言うまでもない。
上のようにしてユーザにより設定された時間帯ごとの洗浄コースを無効として，食器洗浄乾燥機が初期状態として記憶している設定を復活させることもできる。
【００２６】
図１１は，ユーザ設定動作を示すフローチャートであり，別途設けられたコース記憶無効設定キーが入力されると（Ｓ１１−１），記憶無効フラグがセットされていなければ（Ｓ１１−２）記憶無効フラグをセットし（Ｓ１１−３），セットされていれば記憶無効フラグをクリアする（Ｓ１１−４）。
上記コース記憶無効設定キーの入力については，専用のキーを設けるか，あるいは既存のキーの組み合わせで実現できる。また，入力した情報の確認についても専用の表示手段を設けるか，あるいは既存の表示（点滅等）の組み合わせ，あるいは報知音の回数等で実現できる。
【００２７】
図１１で無効フラグがセットされている状態で電源が投入された場合等の処理が，図１２に示されている。
即ち，電源投入後，記憶無効フラグがセットされていれば（Ｓ１２−１），初期状態の洗浄（乾燥）コースが設定され（Ｓ１２−２），記憶無効フラグセットされていなければ，マイクロプロセッサの所定の記憶領域に記憶されている洗浄（乾燥）コースが設定される（Ｓ１２−３）。
図１３は，ユーザにおいて任意のときに上記コース無効の処理を行いうるようにしたものである。即ち，任意のとき，例えば待機中に，マイクロプロセッサ１−１は，コース記憶無効設定キーが入力され（Ｓ１３−１）ると，その後に選択された（Ｓ１３−２）コースを，再度，コース記憶無効設定キーが入力される（Ｓ１３−３）ことを契機に，選択された洗浄（乾燥）コースをマイクロプロセッサの記憶領域ＭＭに記憶する（１３−Ｓ４）。
【００２８】
この場合，コース記憶無効設定キーの入力については，専用のキーを設けるか，あるいは既存のキーの組み合わせで実現できる。また，入力した情報の確認についても専用の表示手段を設けるか，あるいは既存の表示（点滅等）の組み合わせ，あるいは報知音の回数等で実現できる。
【００２９】
図１４は，マイクロプロセッサ１−１の記憶動作を示すフローチャートであり，コース記憶動作に入ると図１３で記憶した前記ＭＭと比較し（Ｓ１４−１），一致すれば，コース記憶せずに処理を抜ける。
また，ＭＭと異なる洗浄（乾燥）コースであれば，次回電源投入時に設定される洗浄（乾燥）コースとして記憶させる（Ｓ１４−２）。この例は，１コースのみ無効にする例であるが，マイクロプロセッサの記憶領域ＭＭを複数用意することにより，複数のコースを無効にすることも可能である。
上記した実施形態では，Ｍ１，Ｍ２，ＭＭ等の設定データの記憶領域をマイクロプロセッサ１−１内の記憶部としたが，これらのデータを記憶するために図２に示したようにマイクロプロセッサ２−１に不揮発性メモリー（ＥＥＰＲＯＭ）２−７を接続し，これに記憶することで，電源を落としても確実にデータが保存され，再度電源を投入したときにその記憶領域にあるデータを確実に取り込むこと，或はそれを表示することが可能となる。
【００３０】
【発明の効果】
本発明は，複数の洗浄コースに対応するプログラムが記憶されたプログラム記憶手段と，実行され得る洗浄コースの候補を表示可能の洗浄コース候補表示部と，前記洗浄コース候補表示部に表示或は呼び出された洗浄コースの実行を指示するための洗浄実行指示手段とを備えてなる食器洗浄乾燥機において，
電源を投入したとき最初に前記洗浄コース候補表示部に表示され或は呼び出される洗浄コースが，予め定められた所定のルールに基づいて設定されてなる食器洗浄乾燥機として構成されている。
従って，洗浄処理を行なおうとするユーザは，上記所定のルールに従って呼び出され，或は表示部に表示された洗浄コースをただ実行すればよく，電源の投入時などに一々洗浄コースを設定しなおす必要がないので，ほとんどの場合，簡単に適切な洗浄コースを設定することができる。
【００３１】
前記所定のルールとして，直近で連続して２回以上実行した洗浄コースを最初に表示するものを採用することは，適切なコース設定が簡単にできる一つの例である。
この場合，直前に実行された洗浄コースを記憶する直前実行コース記憶手段と，２回以上実行された洗浄コースを記憶する繰り返し実行コース記憶手段と，実行された洗浄コースが前記直前実行コース記憶手段に記憶された洗浄コースと同一であると判断された場合には前記実行された洗浄コースを前記繰り返し実行コース記憶手段に記憶し，実行された洗浄コースが前記直前実行コース記憶手段に記憶された洗浄コースと同一でないと判断された場合には前記実行された洗浄コースを前記直前実行コース記憶手段に記憶する第１の表示候補調整手段とを備えて構成することができる。
このような構成であれば，確実に実行することができる。
【００３２】
また別の例として，直前に実行された洗浄コースを記憶する直前実行コース記憶手段と，２回以上実行された洗浄コースを記憶する繰り返し実行コース記憶手段と，ユーザが自由に設定できるユーザ設定回数を記憶するユーザ設定回数記憶手段と，連続実行された洗浄コースの連続実行回数をカウントし記憶する連続回数カウンタ手段と，実行された洗浄コースが前記直前実行コース記憶手段に記憶された洗浄コースと同一であると判断された場合には前記実行された洗浄コースに関する連続回数カウンタの値に１を加算すると共に，該連続回数カウンタの値を前記ユーザ設定回数記憶手段に記憶されたユーザ設定回数と比較し，該連続回数カウンタの値が前記ユーザ設定回数を超えた場合には，その実行された洗浄コースを前記繰り返し実行コース記憶手段に記憶し，実行された洗浄コースが前記直前実行コース記憶手段に記憶された洗浄コースと同一でないと判断された場合には前記連続回数カウンタの値をクリアすると共に，前記実行された洗浄コースを前記直前実行コース記憶手段に記憶する第２の表示候補調整手段とを備えて構成されてもよい。
この場合には，ユーザが任意に設定した繰り返し回数に基づいて優先的に表示する洗浄コースを設定することになるので，ユーザの便宜にあったものとなる。
前記実行された洗浄コースが，現在実行中の洗浄コースであっても構わない。別の例として，前記実行された洗浄コースが直前に実行を終了した洗浄コースであってもよい。
【００３３】
前記所定のルールとして，時間帯に応じて予め設定された洗浄コースを最初に表示し或は呼び出すものが採用可能である。
複数の洗浄コースに対応するプログラムが記憶されプログラム記憶手段と，洗浄開始の指示が入力されると，予め定められたルールに基づいて設定された洗浄コースが実行される洗浄コース自動実行手段とを備えてなる食器洗浄乾燥機が提案される。
この場合，ユーザは電源投入と，洗浄開始の指示（スターとボタンの押下）を行なうだけで，望ましい洗浄処理を実行できる。
前記予め定められたルールが，時間帯に応じて予め設定された洗浄コースを自動実行するものが考えられる。時間毎のきめ細かい設定が自動的に行なわれるので，手間をかけずにきめ細かい洗浄を実行することができる。
【００３４】
前記所定のルールとして，直近で連続して２回以上実行した洗浄コースを自動実行するものであってもよい。２回以上連続実行した処理は，よく使う処理と考えられるので，ユーザの手間が大きく省かれる。
また複数の洗浄コースに対応するプログラムが記憶されたプログラム記憶手段と，電源が投入されると，予め定められたルールに基づいて設定された洗浄コースが実行される洗浄コース自動実行手段とを備えてなる食器洗浄乾燥機が提供される。この場合，電源投入だけで，予め定められたルールに基づくコースが自動選択されるので，ますます手間が要らないものとなる。
この場合，予め定められたルールとして，時間帯に応じて予め設定された洗浄コースを自動実行するものが考えられる。
【００３５】
さらに前記所定のルールが，直近で連続して２回以上実行した洗浄コースを自動実行するものである場合が考えられる。これらの効果は既に述べた通りである。
更に時間帯に対応する洗浄コースを設定するための時間帯−洗浄コース設定手段を備えてなるものが考えられる。
前記時間帯に応じて表示され，呼び出され或は実行される洗浄コースが，同じ時間帯に前回実行された洗浄コースにより決定されるものであってもよい。
前記時間帯に応じて表示され，呼び出され或は実行される洗浄コースとして，時間帯に応じてユーザーが設定した洗浄コースが考えられる。
表示され，呼び出され或は実行される洗浄コースの設定を無効にする設定手段を更に備えていてもよい。出張等の生活パターンが変わったときは，古い設定を無効にすることが望ましいからである。
【００３６】
この場合，前記設定無効手段により設定内容が無効にされた後に電源が投入され，或は洗浄開始が指示された時に，表示され，呼び出され或は実行される洗浄コースが予め定められた初期設定の洗浄コースであってもよい。無効にした当初は，どういう設定が生活にあっているか分からないので，一般的によく選ばれるものとして設定されている初期設定に戻すのが望ましいからである。
【００３７】
更にこの場合，前記設定無効手段により設定内容が無効にされた後に電源が投入され，或は洗浄開始が指示された時に，表示され，呼び出され或は実行される洗浄コースをユーザが設定可能である場合がありうる。無効後の自由な設定を確保するためである。
さらに予め定められた初期設定の洗浄コース或はユーザが設定した洗浄コースが不揮発性メモリーに記憶されている場合も考えられる。
【図面の簡単な説明】
【図１】本発明の一実施形態にかかる食器洗浄乾燥機の制御ブロック。
【図２】他の実施形態にかかる食器洗浄乾燥機の制御ブロック図。
【図３】従来公知の食器洗浄乾燥機における操作部の平面図及び種々の洗浄コースのリスト図。
【図４】本発明の上記一実施形態にかかる食器洗浄乾燥機の一操作手順を示すフローチャート。
【図５】図４の実施形態の変形例を示すフローチャート。
【図６】ユーザが決めた設定回数に応じて呼び出す洗浄コースを変えることのできる手順を示すフローチャート。
【図７】時刻に応じて呼び出す洗浄コースを変えるための手順を示すフローチャート。
【図８】時刻に応じて呼び出される洗浄コースが変わる制御手順を示すフローチャート。
【図９】電源を投入するだけで時刻に応じた洗浄コースを呼び出すことのできる制御手順を示すフローチャート。
【図１０】ユーザが時刻とこれに対応する洗浄コースを設定するための手順を示すフローチャート。
【図１１】無効設定のフラグ処理手順を示すフローチャート。
【図１２】無効フラグの状態に応じて洗浄コースの設定を変える手順を示すフローチャート。
【図１３】洗浄コースの設定を無効にしてユーザが自由に設定を変える手順を示すフローチャート。
【図１４】次回電源投入時に選択される洗浄コースを優先読み出しコースに設定する処理を示すフローチャート。
【符号の説明】
１−１，２−１…マイクロプロセッサ
１−２，２−２…電源
１−３，２−３…表示装置
１−４，２−４…入力装置
１−５，２−５…各種リレー
１−６，２−６…各種センサ
２−７…ＥＥＰＲＯＭ
Ｋ１…乾燥時間キー
Ｋ２…イオン・洗剤併用コースキー
Ｋ３…イオンコースキー
Ｋ４…スタートキー
Ｋ５…電源キー
Ｓ１，Ｓ２…手順番号
【図１】
2004283284.tif 000003
【図２】
2004283284.tif 000004
【図３】
2004283284.tif 000005
【図４】
2004283284.tif 000006
【図５】
2004283284.tif 000007
【図６】
2004283284.tif 000008
【図７】
2004283284.tif 000009
【図８】
2004283284.tif 000010
【図９】
2004283284.tif 000011
【図１０】
2004283284.tif 000012
【図１１】
2004283284.tif 000013
【図１２】
2004283284.tif 000014
【図１３】
2004283284.tif 000015
【図１４】
2004283284.tif 000016